(57)【特許請求の範囲】
【請求項１】
ディスプレイ装置の前面に配置されるディスプレイパネルと；
前記ディスプレイパネルの後面に配置され、前記ディスプレイパネルの剛性より大きい剛性を有する中間パネルと；
前記中間パネルに付着する第１の結合部と、前記第１の結合部から前方に向かって突出して前記ディスプレイパネルに付着する第２の結合部と、前記第２の結合部の後面に配置されるガイド溝とを含むブラケットと；
ディスプレイ装置の側面外観を形成するように前記ディスプレイパネル及び前記ブラケットの外郭に配置される枠部と、前記枠部から延長されて前記ブラケットを支持する支持部と、前記支持部から前方に突出して前記各ガイド溝のうち一つに収容されるガイドリブと、を含むサイドカバーと；
前記中間パネルの後面及び前記ディスプレイパネルの後面に配置され、前記ディスプレイ装置の後面外観を形成するリアカバーと；を含み、
前記サイドカバーの前記支持部は、前記サイドカバーの上端に設けられる第１の支持部と、前記サイドカバーの下端に設けられる第２の支持部と、を含み、
前記ガイドリブは前記第１の支持部に設けられる、
ことを特徴とするディスプレイ装置。
【請求項２】
前記中間パネルは、接着要素を通して前記ディスプレイパネルの後面に付着し、
前記ブラケットの前記第１の結合部及び第２の結合部は、それぞれ接着要素を通して前記中間パネルの後面及び前記ディスプレイパネルの後面に付着することを特徴とする、請求項１に記載のディスプレイ装置。
【請求項３】
前記ブラケットの前記第２の結合部は、前記ディスプレイパネルの枠を保護するために、前記ディスプレイパネルの枠と同一であるか、又は前記ディスプレイパネルの枠より外郭に突出することを特徴とする、請求項２に記載のディスプレイ装置。
【請求項４】
前記ディスプレイパネルに駆動信号を供給できるように前記ディスプレイパネルに連結される軟性印刷回路フィルムをさらに含むことを特徴とする、請求項１に記載のディスプレイ装置。
【請求項５】
前記ブラケットは、前記ディスプレイパネルに連結された前記軟性印刷回路フィルムが前記ブラケットから後方に延長されるように、前記ブラケットの下部が開放されて形成される第１の貫通部を含むことを特徴とする、請求項４に記載のディスプレイ装置。
【請求項６】
前記第２の支持部には、前記ブラケットの前記ガイド溝に結合される複数のガイド突起が設けられ、前記複数のガイド突起は、前記ブラケットの前記第１の貫通部に対応する位置に第２の貫通部が設けられるように互いに離隔して配置されることを特徴とする、請求項５に記載のディスプレイ装置。
【請求項７】
前記サイドカバーの前記枠部の前面部は、前記ディスプレイパネルの側面が露出しないように前記ディスプレイパネルの側面外側を覆い、前記枠部の後面部は、前記リアカバーの側面が露出しないように前記リアカバーの側面外側を覆うことを特徴とする、請求項１に記載のディスプレイ装置。
【請求項８】
前記サイドカバーの前記枠部は、前記ディスプレイパネルの前面が全部露出するように設けられることを特徴とする、請求項１に記載のディスプレイ装置。
【請求項９】
前記ブラケットの前記第２の結合部には複数の第１の締結ホールが設けられ、
前記サイドカバーの前記支持部には、前記複数の第１の締結ホールに対応する位置に複数の第２の締結ホールが設けられ、前記ブラケットと前記サイドカバーが締結部材によって結合されることを特徴とする、請求項１に記載のディスプレイ装置。
【請求項１０】
前記リアカバーには、前記複数の第１の締結ホール及び第２の締結ホールに対応する位置に複数の第３の締結ホールが設けられ、前記リアカバーが締結部材によって前記ブラケットに結合されることを特徴とする、請求項９に記載のディスプレイ装置。
【請求項１１】
前記中間パネルは、
その内部に空気を収容できる空間を含む内側部と；
前記内側部の前面及び後面のうち少なくとも一つに装着される少なくとも一つの外側部と；を含み、
前記内側部は、前記内側部を貫通して形成される複数のセルを含み、前記複数のセルはそれぞれ六角形状に形成されたことを特徴とする、請求項１に記載のディスプレイ装置。
【請求項１２】
前記中間パネルは、
その内部に空気を収容できる空間を含む内側部と；
前記内側部の前面及び後面のうち少なくとも一つに装着される少なくとも一つの外側部と；を含み、
前記内側部は、波状のしわ構造を有することを特徴とする、請求項１に記載のディスプレイ装置。
【請求項１３】
前記内側部と前記外側部はアルミニウムで形成されることを特徴とする、請求項１１に記載のディスプレイ装置。
【請求項１４】
前記内側部及び外側部のうち少なくとも一つは絶縁体を含んで形成され、前記絶縁体はプラスチック又は不織布を含むことを特徴とする、請求項１１に記載のディスプレイ装置。
【発明の詳細な説明】
【技術分野】
【０００１】
本発明は、ディスプレイ装置に関し、より詳細には、ディスプレイ装置を軽くすると同時に、特定部位への熱の偏重を最小化できるディスプレイ装置に関する。
【背景技術】
【０００２】
ディスプレイ装置は、画面に映像を表示する装置であって、代表的には、ＴＶ、コンピューターモニターなどがこれに該当する。
【０００３】
最近は、薄型化、軽量化、低消費電力化を達成するために、陰極線管表示素子（Ｃａｔｈｏｄｅ―Ｒａｙ  Ｔｕｂｅ  Ｄｉｓｐｌａｙ  ｄｅｖｉｃｅ）に取って代わる平板ディスプレイ装置（Ｆｌａｔ  Ｐａｎｅｌ  Ｄｉｓｐｌａｙ  ｄｅｖｉｃｅ）が大いに開発されている。
【０００４】
平板ディスプレイ装置は、大きく発光型と受光型に分類することができる。発光型としては、プラズマディスプレイパネル（Ｐｌａｓｍａ  Ｄｉｓｐｌａｙ  Ｐａｎｅｌ；ＰＤＰ）及び有機発光ダイオード（Ｏｒｇａｎｉｃ  Ｌｉｇｈｔ  Ｅｍｉｔｔｉｎｇ  Ｄｉｏｄｅ；ＯＬＥＤ）などがあり、受光型としては液晶ディスプレイ（Ｌｉｑｕｉｄ  Ｃｒｙｓｔａｌ  Ｄｉｓｐｌａｙ；ＬＣＤ）がある。
【０００５】
このうち、有機発光ダイオードを用いたディスプレイ装置は、液晶ディスプレイ装置に比べて輝度特性及び視野角特性に優れ、バックライトユニットを必要しないため超薄型として具現できるという長所を有する。
【発明の概要】
【発明が解決しようとする課題】
【０００６】
本発明の一側面は、ディスプレイパネルを堅固に支持し、放熱効果を極大化し、軽量化する中間パネルを含むディスプレイ装置を提供する。
【０００７】
また、中間パネル自体が絶縁機能を行うディスプレイ装置を開示する。また、中間パネルと他の構成部品との組み立てを容易にするブラケットを含むディスプレイ装置を提供する。
【課題を解決するための手段】
【０００８】
本発明の思想によるディスプレイ装置は、ディスプレイパネルと；前記ディスプレイパネルの後面に配置され、前記ディスプレイパネルの変形及び破損を防止する中間パネルと；前記中間パネルに結合される第１の結合部と、前記第１の結合部の前方に突出して前記ディスプレイパネルに結合される第２の結合部とを含み、前記第２の結合部の後面にガイド溝が設けられるブラケットと；ディスプレイ装置の側面外観を形成するように前記ディスプレイパネル及び前記ブラケットの外郭に配置される枠部と、前記枠部から延長されて前記ブラケットを支持する支持部と、前記支持部の前方に突出して前記ガイド溝に結合されるガイドリブとを含むサイドカバーと；前記中間パネルの後面に配置されて前記ディスプレイ装置の後面外観を形成するリアカバーと；を含むことを特徴とする。
【０００９】
前記中間パネルは、接着要素を通して前記ディスプレイパネルの後面に付着することができる。
【００１０】
前記ブラケットの前記第１の結合部は、接着要素を通して前記中間パネルの後面に付着することができる。前記第２の結合部は、接着要素を通して前記ディスプレイパネルの後面に付着することができる。
【００１１】
前記ブラケットの前記第２の結合部は、前記ディスプレイパネルの枠を保護するために、前記ディスプレイパネルの枠と同一であるか、又は前記ディスプレイパネルの枠より外郭に突出し得る。
【００１２】
前記ディスプレイ装置は、前記ディスプレイパネルに駆動信号を供給できるように前記ディスプレイパネルに連結される軟性印刷回路フィルムをさらに含むことができる。
【００１３】
前記ブラケットは、前記ディスプレイパネルに連結された前記軟性印刷回路フィルムが前記ブラケットの後方に延長されるように、前記ブラケットの下部が開放されて形成される第１の貫通部を含むことができる。
【００１４】
前記サイドカバーの前記支持部は、前記サイドカバーの上端に設けられる第１の支持部と、前記サイドカバーの下端に設けられる第２の支持部とを含むことができる。前記ガイドリブは、前記第１の支持部に設けることができる。
【００１５】
前記第２の支持部には、前記ブラケットの前記ガイド溝に結合される複数のガイド突起が設けられ、前記複数のガイド突起は、前記ブラケットの前記第１の貫通部に対応する位置に第２の貫通部が設けられるように互いに離隔して配置することができる。
【００１６】
前記サイドカバーの前記枠部の前面部は、前記ディスプレイパネルの側面が露出しないように前記ディスプレイパネルの側面外側を覆い、前記枠部の後面部は、前記リアカバーの側面が露出しないように前記リアカバーの側面外側を覆うことができる。
【００１７】
前記サイドカバーの前記枠部は、前記ディスプレイパネルの前面が全部露出するように設けることができる。
【００１８】
前記ブラケットの前記第２の結合部には複数の第１の締結ホールが設けられ、前記サイドカバーの前記支持部には、前記複数の第１の締結ホールに対応する位置に複数の第２の締結ホールが設けられ、前記ブラケットと前記サイドカバーとを締結部材によって結合することができる。
【００１９】
前記リアカバーには、前記複数の第１の締結ホール及び第２の締結ホールに対応する位置に複数の第３の締結ホールが設けられ、前記リアカバーを締結部材によって前記ブラケットに結合することができる。
【００２０】
前記中間パネルは、その内部に空気を収容できる空間を含む内側部と、前記内側部の前面及び後面のうち少なくとも一つに装着される少なくとも一つの外側部とを含むことができる。
【００２１】
前記内側部は、前記内側部を貫通して形成される複数のセルを含むことができる。前記複数のセルはそれぞれ六角形状に形成することができる。前記内側部はハニカム構造で形成することができる。前記内側部は波状のしわ構造を有することができる。前記内側部はアルミニウムで形成することができる。前記外側部はアルミニウムで形成することができる。
【００２２】
前記内側部及び外側部のうち少なくとも一つは、絶縁体を含んで形成することができる。前記絶縁体は、プラスチック又は不織布を含むことができる。
【００２３】
また、本発明の思想によるディスプレイ装置は、ディスプレイパネルと；前記ディスプレイパネルの後面に配置され、前記ディスプレイパネルの変形及び破損を防止する中間パネルと；前記中間パネルの枠に結合され、下部に前記ディスプレイパネルと前記ディスプレイパネルに駆動信号を供給するソース印刷回路基板とを連結させる軟性印刷回路フィルムが貫通する第１の貫通部を有するブラケットと；前記ブラケットの枠に結合されてディスプレイ装置の側面外観を形成し、前記貫通部に対応する位置に前記軟性印刷回路フィルムが貫通する第２の貫通部を有するサイドカバーと；前記中間パネルの後面に配置され、前記ソース印刷回路基板が外部に露出することを防止するリアカバーと；を含むことを特徴とする。
【００２４】
前記中間パネルには、前記ディスプレイパネルに電源を供給する電源基板及び信号を伝達するメイン基板を固定するためのホルダーを設けることができる。前記中間パネルは、その内部に空気を収容できる空間を含む内側部と、前記内側部の前面及び後面のうち少なくとも一つに装着される少なくとも一つの外側部とを含むことができる。
【００２５】
前記内側部は、ハニカム構造及び波状のしわ構造のうち一つで形成することができる。前記ブラケットは、前記中間パネルに結合される第１の結合部と、前記第１の結合部の前方に突出して前記ディスプレイパネルに結合される第２の結合部とを含み、前記第２の結合部の後面にガイド溝を設けることができる。
【００２６】
前記ブラケットの前記第２の結合部は、前記ディスプレイパネルの枠を保護するために、前記ディスプレイパネルの枠と同一であるか、前記ディスプレイパネルの枠より外郭に突出し得る。
【００２７】
前記サイドカバーは、ディスプレイ装置の側面外観を形成するように前記ディスプレイパネル及び前記ブラケットの外郭に配置される枠部と、前記枠部から延長されて前記ブラケットを支持する支持部とを含むことができる。
【００２８】
前記枠部は、前記ディスプレイパネルの前面が全部露出するように構成され、前記枠部の前面部は、前記ディスプレイパネルの側面が露出しないように前記ディスプレイパネルの側面外側を覆い、前記枠部の後面部は、前記リアカバーの側面が露出しないように前記リアカバーの側面外側を覆うことができる。
【００２９】
前記サイドカバーは、前記支持部の前方に突出して前記ガイド溝に結合されるガイドリブをさらに含むことができる。前記サイドカバーは、前記支持部の前方に突出して前記ガイド溝に結合される複数のガイド突起をさらに含み、前記複数のガイド突起は、前記ブラケットの前記第１の貫通部に対応する位置に前記第２の貫通部が設けられるように互いに離隔して配置することができる。
【００３０】
本発明の一実施例において、ディスプレイ装置は、前記ディスプレイ装置の前面に配置されるディスプレイパネルと；前記ディスプレイパネルの後面に配置され、前記ディスプレイパネルの剛性より大きい剛性を有する中間パネルと；前記中間パネルに付着する第１の結合部と、前記第１の結合部から前方に向かって突出して前記ディスプレイパネルに付着する第２の結合部と、前記第２の結合部の後面に配置されるガイド溝とを含むブラケットと；ディスプレイ装置の側面外観を形成するように前記ディスプレイパネル及び前記ブラケットの外郭に配置される枠部と、前記枠部から延長されて前記ブラケットを支持する支持部と、前記支持部から前方に突出して前記各ガイド溝のうち一つに収容されるガイドリブとを含むサイドカバーと；前記中間パネルの後面及び前記ディスプレイパネルの後面に配置され、前記ディスプレイ装置の後面外観を形成するリアカバーと；を含むことを特徴とする。
【００３１】
他の実施例において、ディスプレイ装置は、ディスプレイパネルと；前記ディスプレイパネルの後面に配置され、前記ディスプレイパネルの剛性より大きい剛性を有する中間パネルと；前記中間パネルの枠に付着し、下部に前記ディスプレイパネルと前記ディスプレイパネルに駆動信号を供給するソース印刷回路基板とを連結させる軟性印刷回路フィルムが貫通する第１の貫通部を含むブラケットと；前記ディスプレイ装置の枠に付着してディスプレイ装置の側面外観を形成し、前記第１の貫通部に対応する位置に前記軟性印刷回路フィルムが貫通する第２の貫通部を含むサイドカバーと；前記中間パネルの後面に配置され、前記ソース印刷回路基板がディスプレイ装置の外部に露出することを防止するリアカバーと；を含むことを特徴とする。
【発明の効果】
【００３２】
本発明の各実施例によると、ディスプレイパネルを堅固に支持し、放熱効果を極大化し、軽量化することができる。さらに、中間パネルが絶縁体としての機能を有することができる。
【００３３】
また、中間パネルと他の構成部品との組み立てを容易にし、中間パネルの枠を保護することができる。
【図面の簡単な説明】
【００３４】
【図１】本発明の一実施例に係るディスプレイ装置の構成を示した斜視図である。
【図２】本発明の一実施例に係る中間パネルの内部構成を示した図である。
【図３】本発明の他の実施例に係る中間パネルの内部構成を示した図である。
【図４】図１における中間パネル、ブラケット及びサイドカバーの上側を拡大して示した図である。
【図５】図１における中間パネル、ブラケット及びサイドカバーの下側を拡大して示した図である。
【図６】本発明の一実施例に係るディスプレイ装置の上側断面図である。
【図７】本発明の一実施例に係るディスプレイ装置の上側断面図である。
【図８】本発明の一実施例に係るディスプレイ装置の下側断面図である。
【図９】本発明の一実施例に係るディスプレイ装置の下側断面図である。
【図１０】本発明の一実施例に係るディスプレイ装置の断面図である。
【発明を実施するための形態】
【００３５】
以下では、本発明に係る各実施例を添付の図面を参照して詳細に説明する。
【００３６】
図１に示したように、ディスプレイ装置１は、ディスプレイパネル１０が前面に露出するように配置される。ディスプレイパネル１０の後方には、ディスプレイ装置１の後方外観を形成するリアカバー６０を設けることができる。
【００３７】
本実施例において、ディスプレイパネル１０は、有機発光ダイオードパネルを基盤にして説明しようとするが、有機発光ダイオードパネルの他に、液晶ディスプレイパネルも本発明のディスプレイパネル１０に含ませることができる。ディスプレイパネル１０は、映像が表示される活性領域と、映像が表示されない非活性領域とに区分される。
【００３８】
活性領域においては、ガラス基板上に複数の薄膜トランジスタ（図示せず）が形成されており、薄膜トランジスタ上には、画素を形成するための液晶層又は有機物層が形成されており、薄膜トランジスタのオン／オフ制御を通して映像が表示される。
【００３９】
ディスプレイパネル１０の後方には、図８〜図９に示したように、軟性印刷回路フィルム１１０を装着することができる。軟性印刷回路フィルム１１０は、ベースフィルム上にチップデバイスが装着されるＣＯＦ（Ｃｈｉｐ―Ｏｎ―Ｆｉｌｍ）形態であり得る。軟性印刷回路フィルム１１０の中間部分にはチップ１２０が装着されており、軟性印刷回路フィルム１１０の端部にはソース印刷回路基板１３０が装着される。
【００４０】
図１及び図１０に示したように、ディスプレイパネル１０とリアカバー６０との間には中間パネル２０を設けることができる。
【００４１】
中間パネル２０は、接着要素を通してディスプレイパネル１０の後面に付着する。接着要素は、両面テープ又は接着剤で構成することができる。実施例によっては、中間パネル２０は、ディスプレイパネル１０とは直接付着せず、後述するブラケット４０と接着してディスプレイパネル１０に結合することができる。
【００４２】
中間パネル２０の後方には、メイン基板３５と電源基板３１が載せられるホルダー３０が結合される。電源基板３１は、外部電源とディスプレイ装置とを連結する基板であって、ＳＭＰＳ（Ｓｗｉｔｃｈｅｄ  Ｍｏｄｅ  Ｐｏｗｅｒ  Ｓｕｐｐｌｙ）を含んで構成される。メイン基板３５は、ディスプレイパネル１０で表示される映像信号を生成する基板である。
【００４３】
この他にも、メイン基板３５で生成された映像信号をディスプレイパネル１０に伝達する信号伝達基板（図示せず）をホルダー３０に装着することができる。
【００４４】
図２に示したように、中間パネル２０は、内側部２１０及び外側部２４０を含んで構成される。外側部２４０は、所定の間隔を置いて配置される二つの外側部２４０を含むことができる。
【００４５】
内側部２１０は、内側部２１０を貫通して形成された複数のセル２１５を含むことができる。セル２１５は、内側部２１０に穿孔された穴の形状を有する。本実施例において、セル２１５は六角形状に形成される。このように六角形状の複数のセル２１５を含む構造をハニカム構造及び蜂の巣構造という。ハニカム構造は、その内部に形成されたセル２１５によって重さが軽い。結局、セル２１５には空気が充填されるので、全体的なサイズに比べてその重さは軽い。さらに、セル２１５の結合構造によって十分な剛性も備えるようになる。
【００４６】
本実施例では、ハニカム構造を達成するためにセル２１５が六角形状に形成された場合を示しているが、この他に、セル２１５の内部に空気を収容できるように構成される限り、セル２１５が多角形状や円状に形成されることも本発明の思想に含ませることができる。
【００４７】
前記のような構造の内側部２１０に形成された中間パネル２０が薄いディスプレイパネル１０の後方に装着され、ディスプレイパネル１０、さらに、ディスプレイ装置１の破損及び変形を防止できるようになる。一実施例において、中間パネル２０は、ディスプレイパネル１０の剛性より大きい剛性を有する。
【００４８】
内側部２１０の外面にはアルミニウムシートを含む外側部２４０が装着される。中間パネル２０の内側部２１０がブラケット４０及びディスプレイパネル１０に容易に接着しないので、外側部２４０を設けることができる。さらに、外側部２４０は、アルミニウム材質で形成されるので熱伝導性も高い。
【００４９】
本実施例において、内側部２１０の両面に外側部２４０が装着されているが、内側部２１０の面のうち一側面のみに外側部２４０が装着されることも本発明の思想に含ませることができる。
【００５０】
内側部２１０と外側部２４０との結合のために、内側部２１０と外側部２４０との間に別途の接着シート２３０を設けることができる。ただし、接着シートの他に、他のユニット又は他の手段によって内側部２１０と外側部２４０とを結合できることは本発明の思想に含ませることができる。
【００５１】
中間パネル２０は、軽量化可能に構成されながらも、ディスプレイパネル１０の強度を補強する役割と共に、ディスプレイパネル１０で発生した熱の特定部位への偏重を最小化する役割をすることができる。
【００５２】
内側部２１０及び外側部２４０は、熱伝導性の高い材質で形成され、熱がディスプレイパネル１０の特定部位に偏重されずにディスプレイ装置１全体に伝達されるようにする。ディスプレイパネル１０は、熱に敏感であり、過度な熱が加えられると、色相の低下現象のようなディスプレイパネル１０の機能低下現象が発生し得る。特に、ディスプレイパネル１０の後方に配置されたメイン基板３５と電源基板３１では多くの熱が発生するので、中間パネル２０は、熱をディスプレイ装置１全体に伝導する機能をする。
【００５３】
内側部２１０は、アルミニウムプレートを含むことができる。ただし、内側部２１０がプラスチックで形成される場合、中間パネル２０は絶縁機能を付加的に有することができる。前記の説明によると、中間パネル２０の後方には、メイン基板３５（図１参照）と電源基板３１（図１参照）が装着されるホルダー３０が設置される。このようなホルダー３０と中間パネル２０との間には、絶縁のための絶縁板（図示せず）を挿入することができる。
【００５４】
しかし、中間パネル２０の内側部２１０がプラスチックなどの絶縁体を材質にして形成される場合は、絶縁板を付着しないこともある。これは、中間パネル２０自体が絶縁板としての機能を行えるためである。
【００５５】
一般に、外側部２４０はアルミニウムシート２４０を含むことができる。ただし、内側部２１０が絶縁体で形成されないとしても、内側部２１０の外面に付着する外側部２４０が絶縁物質で形成される場合、前記と同一の効果を発揮することができる。従って、この場合、外側部２４０は不織布などの絶縁物質で形成することができる。
【００５６】
すなわち、内側部２１０と外側部２４０がいずれも絶縁体を材質にして形成されたり、そのうち一つが絶縁体を材質にして形成される場合、前記の目的を達成することができる。
【００５７】
図３は、図２と異なる実施例の内側部２２０を備えた中間パネル２５を示している。中間パネル２５は、内側部２２０及び外側部２４０を含んで構成される。外側部２４０は、所定の間隔を置いて配置される二つの外側部２４０を含むことができる。
【００５８】
内側部２２０の外面には外側部２４０が装着される。これは、中間パネル２５が他の構成と結合されるときの接着を容易にするためである。内側部２２０は、波状のしわ構造を有することができる。すなわち、他の部分より突出して形成された山２２１と谷２２２が交互に繰り返される形状を有することができる。
【００５９】
山２２１と山２２１との間又は谷２２２と谷２２２との間は、以前の実施例のセル２１５のように空いた空間であるので、その内部に空気が収容される。このように空いた空間が形成されているので、同一のサイズのパネルであってもより軽く製作可能である。
【００６０】
上述したように、中間パネル２５は、軽いとともに、ディスプレイパネル１０の強度を補強する役割と共に、ディスプレイパネル１０で発生した熱の特定部位への偏重を最小化する役割をする。
【００６１】
一般に、外側部２４０はアルミニウムシートを含むことができる。一方、内側部２２０はアルミニウムプレートを含むことができる。中間パネル２５は、内側部２２０及び外側部２４０を含んで構成される。外側部２４０は、所定の間隔を置いて配置される二つのアルミニウムシート２４０を含むことができる。内側部２２０はアルミニウムプレートを含むことができる。
【００６２】
一方、中間パネル２５が絶縁機能を有するために、内側部２２０はプラスチックを材質にして形成することができる。この場合、外側部２４０は不織布などの材質で形成することができる。
【００６３】
図１及び図４〜図１０に示したように、ディスプレイパネル１０とリアカバー６０との間にはブラケット４０を設けることができる。ブラケット４０は、軽いとともに、耐久性の大きいアルミニウム材質で設けることができる。
【００６４】
ブラケット４０は、ディスプレイパネル１０に付着する第２の結合部４２０と、中間パネル２０に付着する第１の結合部４１０とを含む。第２の結合部４２０は、中間パネル２０の側面外側でディスプレイパネル１０に付着し、ディスプレイパネル１０の縁部の強度を補強する。
【００６５】
第２の結合部４２０は、ディスプレイパネル１０の枠を保護するために、ディスプレイパネル１０の枠と同一であるか、又はディスプレイパネル１０の枠より外郭に突出して設けられる。
【００６６】
第１の結合部４１０は、中間パネル２０とリアカバー６０との間に配置され、中間パネル２０の後面に付着することができる。
【００６７】
ブラケット４０は、接着要素を通してディスプレイパネル１０と中間パネル２０に付着することができる。接着要素は、両面テープ又は接着剤で構成することができる。ブラケット４０は、ディスプレイパネル１０と、ディスプレイパネル１０の後方に結合される中間パネル２０とに同時に付着する必要がある。ディスプレイパネル１０が中間パネル２０より前方に配置されるので、第２の結合部４２０が第１の結合部４１０より前方に（すなわち、ディスプレイパネルの前面に向かってより前方に）突出するように段差が形成される。このように段差が形成されるので、中間パネル２０は、第１の結合部４１０に載せられる形態でブラケット４０に結合される。
【００６８】
ディスプレイパネル１０の下端に装着された軟性印刷回路フィルム１１０とそれに連結されたソース印刷回路基板１３０は、中間パネル２０の後方に配置されたメイン基板３５と電源基板３１に連結される。
【００６９】
軟性印刷回路フィルム１１０とソース印刷回路基板１３０をメイン基板３５と電源基板３１に連結するためには、軟性印刷回路フィルム１１０とソース印刷回路基板１３０がブラケット４０を貫通する必要がある。従って、図８に示したように、ブラケット４０の下端には、少なくとも一つの第１の貫通部４４０を形成することができる。第１の貫通部４４０は、ブラケット４０の下側端部の一部を開放して形成することができる。従って、ブラケット４０の下端は、その一部が開放されることによって第１の貫通部４４０が形成された部分以外の部分に複数の突起形状を有するようになる。
【００７０】
軟性印刷回路フィルム１１０は、ディスプレイパネル１０の後方でブラケット４０の第１の貫通部４４０を通過し、ブラケット４０の後方にディスプレイ装置の後面に向かって延長される。
【００７１】
ブラケット４０の下端には第１の貫通部４４０が形成されているので、それ自体ではディスプレイ装置１の外観面を形成するのに適していない。従って、ディスプレイ装置１の側面枠を保護するサイドカバー５０が配置される。
【００７２】
サイドカバー５０は、ディスプレイパネル１０からリアカバー６０まで存在する各構成の側面外側に配置され、ディスプレイ装置１の外観を形成する枠部５１０と、枠部５１０から内側に延長される支持部５２０とを含んで構成することができる。枠部５１０は、ディスプレイパネル１０の前面が全部露出するように（すなわち、枠部５１０がディスプレイパネル１０の前面を覆わないように）構成することができる。枠部５１０の前面部は、ディスプレイパネル１０の側面が露出しないようにディスプレイパネル１０の側面外側を覆い、枠部５１０の後面部は、リアカバー６０の側面が露出しないようにリアカバー６０の側面外側を覆う。
【００７３】
サイドカバー５０は、枠部５１０の各辺が一体に形成された一つの部材として設けることができる。又は、サイドカバー５０の枠部５１０は、４個又は２個に分離した後、これらを互いに組み立てることによって設けることができる。
【００７４】
支持部５２０は枠部５１０の４辺に全て形成される。支持部５２０は、上側枠から内側に延長形成された第１の支持部５２１と、下側枠から内側に延長形成された第２の支持部５２５とを含むことができる。
【００７５】
ブラケット４０の上側に形成された第２の結合部４２０の一部分は、ディスプレイパネル１０とサイドカバー５０の第１の支持部５２１との間に配置され、第１の支持部５２１に結合することができる。ガイドリブ５３０は、第１の支持部５２１の下端から前方に折り曲げて形成することができる。第２の結合部４２０には、ガイドリブ５３０が挿入されるようにガイドリブ５３０に対応する形状にガイド溝４３０を形成することができる。
【００７６】
図８及び図９に示したように、ブラケット４０の下側に形成された第２の結合部４２０の一部分は、ディスプレイパネル１０とサイドカバー５０の第２の支持部５２５との間に配置され、第２の支持部５２５に結合することができる。図９に示したように、ガイド突起５４０は、第２の支持部５２５の上端から前方に折り曲げて形成することができる。第２の結合部４２０には、ガイド突起５４０が挿入されるようにガイド溝４３０を形成することができる。
【００７７】
図８に示したように、複数のガイド突起５４０の間には第２の貫通部５６０が形成される。第２の貫通部５６０は、第１の貫通部４４０が形成された位置に対応する位置に形成される。従って、第１の貫通部４４０を貫通した軟性印刷回路フィルム１１０は、上側に折り曲げられて第２の貫通部５６０を通過することができる。第２の貫通部５６０を通過した軟性印刷回路フィルム１１０の端部に装着されたソース印刷回路基板１３０は、第２の結合部４２０の後方に配置される。
【００７８】
図４、図５及び図７を参照すると、ブラケット４０の第２の結合部４２０には複数の第１の締結ホール４５０が形成され、サイドカバー５０の支持部５２０には複数の第２の締結ホール５５０が形成され、リアカバー６０には複数の第３の締結ホール６５０が形成される。
【００７９】
本実施例によると、ブラケット４０とサイドカバー５０が先に結合された後、リアカバー６０が結合される。従って、第１の締結ホール４５０と第２の締結ホール５５０の数は同一であり、第３の締結ホール６５０は、第１の締結ホール４５０及び第２の締結ホール５５０よりも少ない数で形成することができる。従って、第１の締結ホール４５０と第２の締結ホール５５０の一部に締結部材が挿入されることによって、ブラケット４０とサイドカバー５０とを締結する。その後、締結部材が挿入されていない第１の締結ホール４５０及び第２の締結ホール５５０と第３の締結ホール６５０に別途の締結部材が挿入されることによってリアカバー６０を締結する。
【００８０】
ただし、実施例によっては、ブラケット４０、サイドカバー５０及びリアカバー６０を一度に結合することができる。この場合、第１の締結ホール４５０、第２の締結ホール５５０及び第３の締結ホール６５０は同一の数で形成される。
【００８１】
ブラケット４０とサイドカバー５０との締結過程でガイド溝４３０にガイドリブ５３０とガイド突起５４０が挿入されることによって、１次的にブラケット４０とサイドカバー５０とが結合される。ガイド溝４３０、ガイドリブ５３０及びガイド突起５４０は、ブラケット４０とサイドカバー５０が正確な位置で結合されるように位置をガイドする役割をすることができる。
【００８２】
１次的に結合されたブラケット４０とサイドカバー５０の第１の締結ホール４５０及び第２の締結ホール５５０に締結部材が挿入されることによって、２次的にブラケット４０とサイドカバー５０とを結合する。
【００８３】
リアカバー６０は強度の高い材質で形成することができる。これは、リアカバー６０が、ディスプレイ装置１の後方外観を形成すると同時に、中間パネル２０に装着されたメイン基板３５及び電源基板３１を保護する役割をするためである。さらに、リアカバー６０は、ディスプレイ装置１の破損を減少させる機能も有する。リアカバー６０は、中心部が後方に緩く突出した形状を有することができる。中間パネル２０の後方に配置されたメイン基板３５及び電源基板３１が占める空間を確保するために、メイン基板３５及び電源基板３１が装着された部分のみが突出し得る。
【００８４】
以上では、添付の図面を参照してディスプレイ装置１を説明するにおいて特定形状及び方向を主に説明したが、これは、当業者によって多様な変形及び変更が可能であり、このような変形及び変更は、本発明の権利範囲に含まれるものと解釈しなければならない。
【符号の説明】
【００８５】
１      ディスプレイ装置
１０    ディスプレイパネル
２０    中間パネル
３０    ホルダー
４０    ブラケット
５０    サイドカバー
６０    リアカバー
【図１】
0006336241.tif 000002
【図２】
0006336241.tif 000003
【図３】
0006336241.tif 000004
【図４】
0006336241.tif 000005
【図５】
0006336241.tif 000006
【図６】
0006336241.tif 000007
【図７】
0006336241.tif 000008
【図８】
0006336241.tif 000009
【図９】
0006336241.tif 000010
【図１０】
0006336241.tif 000011